(57)【要約】      （修正有）【課題】再生時や編集時における処理効率を向上させ得る記録装置を提案する。【解決手段】入力される映像データの各フレーム画像を、時間的に連続する複数のフレームからなる第１の符号化処理単位で圧縮符号化する第１の符号化手段と、映像データの各フレーム画像を、時間的に連続する複数のフレームからなる第２の符号化処理単位で、かつ第１の符号化手段よりも低情報量に圧縮符号化する第２の符号化手段と、第１の符号化手段により圧縮符号化された第１の符号化データ及び第２の符号化手段により圧縮符号化された第２の符号化データを一の記録媒体に記録する記録手段と、第1の符号化処理単位及び第２の符号化処理単位を同数のフレームとすると共に、第１の符号化処理単位及び第２の符号化処理単位の開始フレームを揃え、かつ開始フレームを同一のフレーム画像とするように第１の符号化手段及び第２の符号化手段を制御する制御手段とを設ける。【選択図】図２
2006303627.tif 000002
【特許請求の範囲】
【請求項１】
入力される映像データの各フレーム画像を、時間的に連続する複数のフレームからなる第１の符号化処理単位で圧縮符号化する第１の符号化手段と、
上記映像データの各上記フレーム画像を、時間的に連続する複数のフレームからなる第２の符号化処理単位で、かつ上記第１の符号化手段よりも低情報量に圧縮符号化する第２の符号化手段と、
上記第１の符号化手段により圧縮符号化された第１の符号化データ及び上記第２の符号化手段により圧縮符号化された第２の符号化データを一の記録媒体に記録する記録手段と、
上記第1の符号化処理単位及び上記第２の符号化処理単位を同数のフレームとすると共に、上記第１の符号化処理単位及び上記第２の符号化処理単位の開始フレームを揃え、かつ上記開始フレームを同一の上記フレーム画像とするように上記第１の符号化手段及び上記第２の符号化手段を制御する制御手段と
を具えることを特徴とする記録装置。
【請求項２】
上記記録手段は、
上記第１の符号化データと、上記第２の符号化データとを所定の時間間隔で交互に上記記録媒体に記録する
ことを特徴とする請求項１に記載の記録装置。
【請求項３】
入力される映像データの各フレーム画像を、時間的に連続する複数のフレームからなる第１の符号化処理単位で圧縮符号化する第１の符号化手段と、上記映像データの各上記フレーム画像を、時間的に連続する複数のフレームからなる第２の符号化処理単位で、かつ上記第１の符号化手段よりも低情報量に圧縮符号化する第２の符号化手段とを有する記録装置の制御方法において、
上記第1の符号化処理単位及び上記第２の符号化処理単位を同数のフレームとすると共に、上記第１の符号化処理単位及び上記第２の符号化処理単位の開始フレームを揃え、かつ上記開始フレームを同一の上記フレーム画像とするように圧縮符号化する第１のステップと、
上記第１の符号化手段により圧縮符号化された第１の符号化データ及び上記第２の符号化手段により圧縮符号化された第２の符号化データを一の記録媒体に記録する第２のステップと
を具えることを特徴とする記録装置の制御方法。
【発明の詳細な説明】
【技術分野】
【０００１】
本発明は、記録装置及びその制御方法に関し、例えばＭＰＥＧ（Moving Picture Experts Group）方式で圧縮符号化された圧縮映像データを復号化して、記録再生する記録再生装置に適用して好適なものである。
【背景技術】
【０００２】
従来、映像データを効率的に圧縮する方法のひとつにＭＰＥＧ方式がある。ＭＰＥＧ方式は、複数のフレームから構成されるＧＯＰ（Group Of Picture）を単位としており、フレーム相関を利用して、映像データの各フレーム画像を順次圧縮符号化するものである。
【０００３】
このようなＭＰＥＧ方式のＧＯＰを利用したシステムとして、例えば複数の映像データが圧縮された圧縮映像データをそれぞれ所定のＧＯＰ単位ごとに時分割に多重化することによって、入力及び復号器の共用を図ると共に、送信側における画像サイズの縮小、フレーム間引き、送信レート及び処理速度の高速化により、圧縮率を上げることなく複数の圧縮映像データに基づく映像を再生して１つの画面に表示する圧縮復号データ表示システムが提案されている（例えば特許文献１参照）。
【特許文献１】特開平１０−１５５１２３号公報
【発明の開示】
【発明が解決しようとする課題】
【０００４】
ところで、例えばテレビジョンなどにおける高解像度方式であるＨＤ（High Definition）方式に準拠した記録再生装置においては、入力される映像データを、高解像度の映像を表示させるための圧縮本線映像データＤ１に圧縮符号化すると共に、上述の高解像度の映像における早送り時の高速検索再生用である低解像度の映像を表示させるための圧縮プロキシ映像データＤ２に圧縮符号化するようになされており、これら圧縮本線映像データＤ１及び圧縮プロキシ映像データＤ２を一の光ディスクに記録すると共に、当該光ディスクから読み出して再生するようになされている。この場合、圧縮プロキシ映像データＤ２については、低解像度であるため、圧縮本線映像データＤ１に比して低情報量となっている。
【０００５】
しかしながらこのようなＨＤ方式に準拠した記録再生装置では、図６のように圧縮本線映像データＤ１のＧＯＰ単位を１５フレームとし、圧縮プロキシ映像データＤ２のＧＯＰ単位を１０フレームとするようになされており、圧縮本線映像データＤ１のＧＯＰ単位と圧縮プロキシ映像データＤ２のＧＯＰ単位が異なっているため、再生時には、それぞれのＧＯＰのフレームのうち、同一のフレーム画像でなるフレームを復号化するときに、当該フレームが何番目のＧＯＰの何フレーム目であるのかを、圧縮本線映像データＤ１と圧縮プロキシ映像データＤ２とで別々に計算しなければならない。
【０００６】
また、圧縮本線映像データＤ１のＧＯＰ（ｎ）を当該ＧＯＰ単位で置き換えるような編集時には、圧縮本線映像データＤ１のＧＯＰ（ｎ）に対応する圧縮プロキシ映像データＤ２のＧＯＰ（ｎ）を単純に置き換えることができないため、プロキシ映像データＤ２のＧＯＰ（ｎ）を超えて編集する必要があり、この結果、再生処理や編集処理が煩雑となり、処理効率が低下するという問題がある。
【０００７】
本発明は以上の点を考慮してなされたもので、再生時や編集時における処理効率を向上させ得る記録装置及びその制御方法を提案しようとするものである。
【課題を解決するための手段】
【０００８】
かかる課題を解決するために本発明においては、入力される映像データの各フレーム画像を、時間的に連続する複数のフレームからなる第１の符号化処理単位で圧縮符号化する第１の符号化手段と、映像データの各フレーム画像を、時間的に連続する複数のフレームからなる第２の符号化処理単位で、かつ第１の符号化手段よりも低情報量に圧縮符号化する第２の符号化手段と、第１の符号化手段により圧縮符号化された第１の符号化データ及び第２の符号化手段により圧縮符号化された第２の符号化データを一の記録媒体に記録する記録手段と、第1の符号化処理単位及び第２の符号化処理単位を同数のフレームとすると共に、第１の符号化処理単位及び第２の符号化処理単位の開始フレームを揃え、かつ開始フレームを同一のフレーム画像とするように第１の符号化手段及び第２の符号化手段を制御する制御手段とを設けるようにした。
【０００９】
従って、再生時には、第１の符号化データ及び第２の符号化データにおける同一のフレーム画像を復号化するときに、１つのフレームの位置情報だけで、同一のフレーム画像を復号化することができると共に、第１の符号化データを第１の符号化処理単位で置き換えるような編集時には、第２の符号化データについても、対応する第２の符号化処理単位で置き換えることができるため、簡易な処理で第１の符号化データ及び第２の符号化データを編集することができる。
【００１０】
また、入力される映像データの各フレーム画像を、時間的に連続する複数のフレームからなる第１の符号化処理単位で圧縮符号化する第１の符号化手段と、映像データの各フレーム画像を、時間的に連続する複数のフレームからなる第２の符号化処理単位で、かつ第１の符号化手段よりも低情報量に圧縮符号化する第２の符号化手段とを有する記録装置の制御方法において、第1の符号化処理単位及び第２の符号化処理単位を同数のフレームとすると共に、第１の符号化処理単位及び第２の符号化処理単位の開始フレームを揃え、かつ開始フレームを同一のフレーム画像とするように圧縮符号化する第１のステップと、第１の符号化手段により圧縮符号化された第１の符号化データ及び第２の符号化手段により圧縮符号化された第２の符号化データを一の記録媒体に記録する第２のステップとを設けるようにした。
【００１１】
従って、再生時には、第１の符号化データ及び第２の符号化データにおける同一のフレーム画像を復号化するときに、１つのフレームの位置情報だけで、同一のフレーム画像を復号化することができると共に、第１の符号化データを第１の符号化処理単位で置き換えるような編集時には、第２の符号化データについても、対応する第２の符号化処理単位で置き換えることができるため、簡易な処理で第１の符号化データ及び第２の符号化データを編集することができる。
【発明の効果】
【００１２】
本発明によれば、第1の符号化処理単位及び第２の符号化処理単位を同数のフレームとすると共に、第１の符号化処理単位及び第２の符号化処理単位の開始フレームを揃え、かつ開始フレームを同一のフレーム画像とするように圧縮符号化し、第１の符号化手段により圧縮符号化された第１の符号化データ及び第２の符号化手段により圧縮符号化された第２の符号化データを一の記録媒体に記録することにより、再生時には、第１の符号化データ及び第２の符号化データにおける同一のフレーム画像を復号化するときに、１つのフレームの位置情報だけで、同一のフレーム画像を復号化することができると共に、第１の符号化データを第１の符号化処理単位で置き換えるような編集時には、第２の符号化データについても、対応する第２の符号化処理単位で置き換えることができるため、簡易な処理で第１の符号化データ及び第２の符号化データを編集することができ、かくして再生時や編集時における処理効率を向上させ得る記録装置及びその制御方法を実現できる。
【発明を実施するための最良の形態】
【００１３】
以下図面について、本発明の一実施の形態を詳述する。
【００１４】
（１）本実施の形態による記録再生装置の構成
図１において、１は全体として本実施の形態による記録再生装置を示し、撮像部２は、被写体の光学像を電気信号に変換することにより得られるアナログ映像信号をディジタル変換し、この結果得られる高解像度の映像データＤ１０を入力映像処理部３に送出する。
【００１５】
入力映像処理部は、撮像部２から供給される映像データＤ１０、又は外部から例えばＨＤ−ＳＤＩ（High Definition - Serial Digital Interface）等の映像入力部４を介して供給される映像データＤ１０を、輝度データ及び色差データに分離し、これらを分離映像データＤ１１として本線映像圧縮伸張器５及びプロキシ映像圧縮伸張器６にそれぞれ送出する。
【００１６】
ここで、記録再生装置１の所定位置には、再生ボタンや記録ボタン、停止ボタン等を有する操作部７が設けられており、これら各種操作ボタンの操作に応じた操作データＤ１２を制御部８に送出する。
【００１７】
制御部８は、例えばＣＰＵ（Central Processing Unit）、ＲＯＭ（Read Only Memory）及びＲＡＭ（Random Access Memory）を含むマイクロコンピュータ構成でなり、ＲＯＭに予め格納された制御プログラムに基づいて、操作部７から与えられる操作データＤ１２に応じて本線映像圧縮伸張器５、プロキシ映像圧縮伸張器６、メモリ９及び光ディスク記録再生部１０をそれぞれ制御する。
【００１８】
この場合、制御部８は、例えば操作部７の記録ボタンの操作に応じた操作データＤ１２が供給されると、記録モードに遷移して、本線映像圧縮伸張器５によって、供給される分離映像データＤ１１に対して、例えばＭＰＥＧ２（Moving Picture Experts Group Phase 2）のＭＰＥＧロングＧＯＰ（MPEG Long GOP）方式における圧縮符号化規格に基づいて圧縮符号化処理を施し、この結果得られる圧縮本線映像データＤ１３をメモリ９に送出させる。
【００１９】
また制御部８は、プロキシ映像圧縮伸張器６によって、供給される分離映像データＤ１１に対して、例えばＭＰＥＧ４（Moving Picture Experts Group Phase 4）のＭＰＥＧロングＧＯＰ方式における圧縮符号化規格に基づいて圧縮符号化処理を施し、この結果得られる圧縮プロキシ映像データＤ１４をメモリ９に送出させる。この場合、圧縮プロキシ映像データＤ１４については、ＭＰＥＧ４のＭＰＥＧロングＧＯＰ方式で圧縮符号化されているため、圧縮本線映像データＤ１３に比して低情報量となっている。
【００２０】
そして制御部８は、供給される圧縮本線映像データＤ１３及び圧縮プロキシ映像データＤ１４を、メモリ９を用いることにより、所定のＧＯＰ単位ごとに一定の時間間隔で交互に並び換え、この結果得られる記録データＤ１５を光ディスク記録再生部１０に送出させる。
【００２１】
この結果、光ディスク１１には、高解像度の映像を表示させるための圧縮本線映像データＤ１３と、高解像度の映像における早送り時の高速検索再生用である低解像度の映像を表示させるための圧縮プロキシ映像データＤ１４とが所定のＧＯＰ単位ごとに一定の時間間隔で交互に並び換えられた記録データＤ１５が記録されるようになされている。
【００２２】
このとき制御部８は、例えば２４Ｐプログレッシブフォーマット（24P_Progressive Format）で記録する場合、図２に示すように、圧縮本線映像データＤ１３の４ＧＯＰ分（４８フレーム）と、圧縮プロキシ映像データＤ１４の４ＧＯＰ分（４８フレーム）とを２秒間隔で交互に並び換えるようになされており、これにより、圧縮本線映像データＤ１３及び圧縮プロキシ映像データＤ１４を樹木の年輪のように記録することができるようになされている。
【００２３】
一方、制御部８は、図１のように例えば操作部７の再生ボタンのうち、通常再生ボタンの操作に応じた操作データＤ１２が供給されると、通常再生モードに遷移して、光ディスク記録再生部１０によって、当該光ディスク記録再生部１０に装填される光ディスク１１から記録データＤ１５を読み出して、メモリ９に送出させる。
【００２４】
また制御部８は、光ディスク１１から読み出される記録データＤ１５を、メモリ９を用いることにより、上述の圧縮本線映像データＤ１３に並び換え、当該圧縮本線映像データＤ１３を本線映像圧縮伸張器５に送出させる。
【００２５】
そして制御部８は、本線映像圧縮伸張器５によって、供給される圧縮本線映像データＤ１３を、例えばＭＰＥＧ２のＭＰＥＧロングＧＯＰ方式における圧縮符号化処理に対応した復号化処理を施し、この結果得られる分離本線映像データＤ１６を再生画像処理部１２に送出させる。
【００２６】
これによりこの記録再生装置１では、分離本線映像データＤ１６を再生画像処理部１２を介して高解像度の本線映像データＤ１７に変換し、当該本線映像データＤ１７を映像出力部１３を介して外部に出力することができるようになされている。
【００２７】
他方、制御部８は、例えば操作部７の再生ボタンのうち、高速検索再生ボタンの操作に応じた操作データＤ１２が供給されると、高速検索再生モードに遷移して、光ディスク記録再生部１０によって、当該光ディスク記録再生部１０に装填される光ディスク１１から記録データＤ１５を読み出して、メモリ９に送出させる。
【００２８】
また制御部８は、光ディスク１１から読み出される記録データＤ１５を、メモリ９を用いることにより、上述の圧縮プロキシ映像データＤ１４に並び換え、当該圧縮プロキシ映像データＤ１４をプロキシ映像圧縮伸張器６に送出させる。
【００２９】
そして制御部８は、プロキシ映像圧縮伸張器６によって、供給される圧縮プロキシ映像データＤ１４を、例えばＭＰＥＧ４のＭＰＥＧロングＧＯＰ方式における圧縮符号化処理に対応した復号化処理を施し、この結果得られる分離プロキシ映像データＤ１８を再生画像処理部１２に送出させる。
【００３０】
これによりこの記録再生装置１では、高速検索再生時には、分離プロキシ映像データＤ１８を再生画像処理部１２を介して低解像度のプロキシ映像データＤ１９に変換し、当該プロキシ映像データＤ１９を映像出力部１３を介して外部に出力することができるようになされている。
【００３１】
このとき制御部８は、通常再生時には、圧縮プロキシ映像データＤ１４を飛び越して圧縮本線映像データＤ１３を再生することができると共に、高速検索再生時には、圧縮本線映像データＤ１３を飛び越して圧縮プロキシ映像データＤ１４を再生することができるようになされている。
【００３２】
これによりこの記録再生装置１においては、図２のように圧縮本線映像データＤ１３及び圧縮本線映像データＤ１３に対応する圧縮プロキシ映像データＤ１４を光ディスク１１上の近傍にまとめて配置されているため、再生時に、通常再生と高速検索再生とを一段と滑らかに切り換えることができるようになされている。
【００３３】
かかる構成に加えて制御部８は、本線映像圧縮伸張器５によって生成される圧縮本線映像データＤ１３とプロキシ映像圧縮伸張器６によって生成される圧縮プロキシ映像データＤ１４とを同一のＧＯＰ単位にすると共に、各ＧＯＰの開始フレームの位置を揃え、かつ当該開始フレームを映像データＤ１０における同一のフレーム画像とするように圧縮符号化するようになされている。
【００３４】
実際上、制御部８は、図３に示すように、圧縮本線映像データＤ１３及び圧縮プロキシ映像データＤ１４のＧＯＰ単位をそれぞれ１２フレームにすると共に、圧縮本線映像データＤ１３及び圧縮プロキシ映像データＤ１４におけるＧＯＰ（ｎ）の開始フレームであるフレーム１の位置を揃え、かつ当該フレーム１を映像データＤ１０における同一のフレーム画像とするようになされている。
【００３５】
これによりこの記録再生装置１においては、再生時には、圧縮本線映像データＤ１３及び圧縮プロキシ映像データＤ１４における同一のフレーム画像を復号化するときに、それぞれのフレーム画像が圧縮本線映像データＤ１３及び圧縮プロキシ映像データＤ１４における何番目のＧＯＰの何フレーム目になるのかを圧縮本線映像データＤ１３と圧縮プロキシ映像データＤ１４とで別々に計算することなく、１つのフレームの位置情報だけで、同一のフレーム画像を復号化することができるようになされている。
【００３６】
また、この記録再生装置１においては、図４に示すように、圧縮本線映像データＤ１３のＧＯＰ（ｎ）を当該ＧＯＰ単位でＧＯＰ（ｍ）に置き換えるような編集時には、プロキシ映像データＤ１４についても、対応するＧＯＰ（ｎ）を単純にＧＯＰ（ｍ）に置き換えることができるため、簡易な処理で圧縮本線映像データＤ１３及び圧縮プロキシ映像データＤ１４を編集することができるようになされている。
【００３７】
ここで上述のような制御部８による記録処理は、ＲＯＭ（図示せず）内に格納されている制御プログラムに基づき、図５に示す記録処理手順ＲＴに従って実行する。
【００３８】
すなわち制御部８は、ユーザが操作部７を操作することにより記録モードに遷移されると、記録処理手順ＲＴをステップＳＰ０において開始し、続くステップＳＰ１において、圧縮本線映像データＤ１３及び圧縮プロキシ映像データＤ１４を同一のＧＯＰ単位にすると共に、各ＧＯＰの開始フレームの位置を揃え、かつ当該開始フレームを映像データＤ１０における同一のフレーム画像とするように圧縮符号化する。
【００３９】
続いて制御部８は、この後ステップＳＰ２に進んで、圧縮本線映像データＤ１３及び圧縮プロキシ映像データＤ１４を、所定のＧＯＰ単位ごとに一定の時間間隔で交互に並び換える。
【００４０】
続いて制御部８は、この後ステップＳＰ３に進んで、光ディスク記録再生部１０に装填される光ディスク１１に記録データＤ１５を記録する。
【００４１】
続いて制御部８は、ステップＳＰ４に進んで、操作部７からの操作データＤ１２に基づいて、ユーザが記録処理を停止すべき操作（以下、これを停止操作と呼ぶ）を行ったか否かを判断し、否定結果を得るとステップＳＰ１に戻り、この後ステップＳＰ１〜ステップＳＰ３について同様の処理を繰り返す。そして制御部８は、やがてユーザが停止操作を行うことによりステップＳＰ４において肯定結果を得ると、ステップＳＰ５に進んでこの記録処理手順ＲＴを終了する。
【００４２】
（２）動作及び効果
以上の構成において、この記録再生装置１では、圧縮本線映像データＤ１３及び圧縮プロキシ映像データＤ１４を同一のＧＯＰ単位にすると共に、各ＧＯＰの開始フレームの位置を揃え、かつ当該開始フレームを映像データＤ１０における同一のフレーム画像とするように圧縮符号化して、圧縮本線映像データＤ１３及び圧縮プロキシ映像データＤ１４を一の光ディスク１１に記録する。
【００４３】
従って、再生時には、圧縮本線映像データＤ１３及び圧縮プロキシ映像データＤ１４における同一のフレーム画像を復号化するときに、それぞれのフレーム画像が圧縮本線映像データＤ１３及び圧縮プロキシ映像データＤ１４における何番目のＧＯＰの何フレーム目になるのかを圧縮本線映像データＤ１３と圧縮プロキシ映像データＤ１４とで別々に計算することなく、１つのフレームの位置情報だけで、同一のフレーム画像を復号化することができる。
【００４４】
また、圧縮本線映像データＤ１３のＧＯＰ（ｎ）を当該ＧＯＰ単位でＧＯＰ（ｍ）に置き換えるような編集時には、プロキシ映像データＤ１４についても、対応するＧＯＰ（ｎ）を単純にＧＯＰ（ｍ）に置き換えることができるため、簡易な処理で圧縮本線映像データＤ１３及び圧縮プロキシ映像データＤ１４を編集することができる。
【００４５】
以上の構成によれば、圧縮本線映像データＤ１３及び圧縮プロキシ映像データＤ１４を同一のＧＯＰ単位にすると共に、各ＧＯＰの開始フレームの位置を揃え、かつ当該開始フレームを映像データＤ１０における同一のフレーム画像とするように圧縮符号化して、圧縮本線映像データＤ１３及び圧縮プロキシ映像データＤ１４を一の光ディスク１１に記録するようにしたことにより、再生時には、圧縮本線映像データＤ１３及び圧縮プロキシ映像データＤ１４における同一のフレーム画像を復号化するときに、１つのフレームの位置情報だけで、同一のフレーム画像を復号化することができると共に、圧縮本線映像データＤ１３のＧＯＰ（ｎ）を当該ＧＯＰ単位でＧＯＰ（ｍ）に置き換えるような編集時には、プロキシ映像データＤ１４についても、対応するＧＯＰ（ｎ）を単純にＧＯＰ（ｍ）に置き換えることができるため、簡易な処理で圧縮本線映像データＤ１３及び圧縮プロキシ映像データＤ１４を編集することができ、かくして再生時や編集時における処理効率を向上させることができる。
【００４６】
（３）他の実施の形態
なお上述の実施の形態においては、本線映像圧縮伸張器５においてＭＰＥＧ２のＭＰＥＧロングＧＯＰ方式によって圧縮符号化し、プロキシ映像圧縮伸張器６においてＭＰＥＧ４のＭＰＥＧロングＧＯＰ方式によって圧縮符号化した場合について述べたが、本発明はこれに限らず、例えば本線映像圧縮伸張器５においてＭＰＥＧ２のＭＰＥＧロングＧＯＰ方式以外のＭＰＥＧ２やこの他種々の圧縮符号化方式によって圧縮符号化し、プロキシ映像圧縮伸張器６においてＭＰＥＧ４のＭＰＥＧロングＧＯＰ方式以外のＭＰＥＧ４やこの他種々の圧縮符号化方式によって圧縮符号化するようにしても良い。
【００４７】
この場合、本線映像圧縮伸張器５において例えばＭＰＥＧ４や国際電気通信連合ＩＴＵ（International Telecommunication Union）によって標準化されたH.264によって圧縮符号化し、プロキシ映像圧縮伸張器６において例えばＭＰＥＧ１（Moving Picture Experts Group Phase 1）によって圧縮符号化するようにしても良く、この他種々のＧＯＰ以外のこの他種々の符号化処理単位に適用することができ、要は、入力される映像データの各フレーム画像を、時間的に連続する複数のフレームからなる第１の符号化処理単位で圧縮符号化する第１の符号化手段と、映像データの各フレーム画像を、時間的に連続する複数のフレームからなる第２の符号化処理単位で、かつ上記第１の符号化手段よりも低情報量に圧縮符号化する第２の符号化手段とを有する記録装置に適用することができる。
【００４８】
また上述の実施の形態においては、圧縮本線映像データＤ１３及び圧縮プロキシ映像データＤ１４のＧＯＰ単位をそれぞれ１２フレームにした場合について述べたが、本発明はこれに限らず、圧縮本線映像データＤ１３と圧縮プロキシ映像データＤ１４とを同一のＧＯＰ単位にすれば良く、要は、上記第1の符号化処理単位及び上記第２の符号化処理単位を同数のフレームにすれば良い。
【００４９】
また上述の実施の形態においては、本線映像圧縮伸張器５、プロキシ映像圧縮伸張器６及び制御部８を別体に設け、制御部８において本線映像圧縮伸張器５及びプロキシ映像圧縮伸張器６を制御した場合について述べたが、本発明はこれに限らず、これらを含んだ符号化手段であっても良く、また第１の符号化手段及び第２の符号化手段にそれぞれ制御手段を設けるようにしても良く、この他種々の形態に広く適用することができる。
【００５０】
さらに上述の実施の形態においては、光ディスク記録再生部１０に装填される光ディスク１１に記録データＤ１５を記録した場合について述べたが、本発明はこれに限らず、例えば光磁気ディスク、半導体メモリ、磁気ディスク等の種々の記録媒体に記録するようにしても良い。
【００５１】
さらに上述の実施の形態においては、撮像部２、入力映像処理部３、本線映像圧縮伸張器５、プロキシ映像圧縮伸張器６、操作部７、制御部８、メモリ９及び光ディスク記録再生部１０を記録再生装置１として適用した場合について述べたが、本発明はこれに限らず、撮像装置、入力映像処理装置、本線映像圧縮伸張器、プロキシ映像圧縮伸張器、操作装置、制御装置、メモリ装置及び光ディスク記録再生装置等のそれぞれ独立の装置を統合した記録再生システムであっても良く、例えば外部から有線または無線で接続されるようにしても良く、この他種々の接続形態で接続するようにしてもよい。
【００５２】
さらに上述の実施の形態においては、第１の符号化手段としての本線映像圧縮伸張器５と、第２の符号化手段でなるプロキシ映像圧縮伸張器６と、記録手段としての光ディスク記録再生部１０と、制御手段としての制御部８とによって記録装置としての記録再生装置１を構成した場合について述べたが、本発明はこれに限らず、この他種々の構成でなる符号化手段と、記録手段と、制御手段とによって記録装置を構成するようにしても良い。
【産業上の利用可能性】
【００５３】
本発明は、ＭＰＥＧ２及びＭＰＥＧ４で圧縮符号化する記録再生装置のほか、この他種々の第１の圧縮符号化方式及び当該第１の圧縮符号化方式よりも低情報量に圧縮符号化する第２の圧縮符号化方式で圧縮符号化する記録装置に適用することができる。
【図面の簡単な説明】
【００５４】
【図１】本実施の形態による記録再生装置の構成を示す略線図である。
【図２】光ディスク上のデータ配置の説明に供する概念図である。
【図３】本実施の形態による圧縮本線映像データ及び圧縮プロキシ映像データのＧＯＰ単位の説明に供する概念図である。
【図４】ＧＯＰ単位の置き換えによる編集の説明に供する概念図である。
【図５】記録処理手順を示すフローチャートである。
【図６】従来における本線映像データ及びプロキシ映像データのＧＯＰ単位の説明に供する概念図である。
【符号の説明】
【００５５】
１……記録再生装置、２……撮像部、５……本線映像圧縮伸張器、６……プロキシ映像圧縮伸張器、７……操作部、８……制御部、９……メモリ、１０……光ディスク記録再生部、１１……光ディスク、ＲＴ……記録処理手順。
【図１】
2006303627.tif 000003
【図２】
2006303627.tif 000004
【図３】
2006303627.tif 000005
【図４】
2006303627.tif 000006
【図５】
2006303627.tif 000007
【図６】
2006303627.tif 000008